(57)【要約】      （修正有）【課題】水切りネットの網目をふさぐ部分を減らし目詰まりを無くし、雑菌の繁殖を抑える簡単な掃除で繰り返し使用可能なる水切り容器を得る。【解決手段】細い金属棒からなり水切りネット４が水切り容器側面内壁から離れるよう、細い金属棒で組み立てた密着防止側面フェンス１と細い金属棒の複数箇所を折り曲げたり螺旋に巻いたりしてなる底面中央に山形のふくらみを持たせた密着防止底面フェンス２を小さな排水窓を持たず、底も持たない排水窓無し水切り容器３やカゴ型水切り容器の水切りカゴとの組み合わせからなる構成の密着防止フェンス付き水切り容器とした。【選択図】図１
0003154105.tif 000002
【実用新案登録請求の範囲】
【請求項１】
水切り容器側面内壁と水切りネットの密着を減らすための、細い金属棒からなる水切り容器内側上面の内周にはまる枠と、細い金属棒からなる水切り容器内側底面の内周にはまる枠との間を、水切り容器側面内壁から離れるよう、内側にコの字型に曲げた複数の金属棒でつないだ密着防止側面フェンス１と細い金属棒の複数箇所を折り曲げたり螺旋に巻いたりしてなる底面中央に山形のふくらみを持たせた密着防止底面フェンス２の２種類の密着防止フェンスを、側面・底面ともに小さな排水窓を持たず、底面に密着防止フェンスが乗る縁だけを残し底を持たない排水窓無し水切り容器３やカゴ型水切り容器の水切りカゴ７ａとの組み合わせからなる構成の密着防止フェンス付き水切り容器。
【考案の詳細な説明】
【技術分野】
【０００１】  本考案は、一般家庭の台所や業務上の厨房から廃棄される食べ残しや廃棄部材と油分や水分の混合した生ごみから、油分や水分を切り、固形分だけを生ごみとして取り出す水切り容器に関するものである。
【背景技術】
【０００２】  一般家庭では三角コーナーなどの水切り容器を用い、その内部に使い捨ての水切りネットを入れて生ごみの水を切っている。業務上の厨房でも、容器の容量に差こそあれ、同様に、固形物と液体に分離している。【０００３】  従来の三角コーナー水切り容器や水切りカゴは、水切りネットと容器の密着によって水切り面積を減少させ、水切りネットの持つ本来の水切り性能を阻害し、網目の目詰まりにより雑菌の繁殖元となり、悪臭の原因となるものが多かった。水切り容器の水切り性能を高めて、ぬめりや悪臭を解消しようとするアイデアは、すでに数知れず発案されている。二重の水切り容器内壁に無数の小さな排水窓を開けて水切り性能を高めて、水切り容器外壁には、一切、孔を開けずに悪臭を容器内部に閉じこめる水切り容器（例えば、特許文献１参照。）や形状を工夫して水切り能力を上げようとした水切り容器には、逆円錐型や逆角錐型のような下端を細くする形にし、コーヒードリッパーの濾紙のように生ゴミ重量によって水分を絞り出そうとする水切り容器（例えば、特許文献２参照。）や、もっと簡単なものは、底面を斜めにし、重量を一定方向に集中させて水分を絞る水切り容器（例えば、特許文献３参照。）や、水切り容器底面に山状の突起を設け、底面を斜めに２分割し水切り性能を上げようとする水切り容器（例えば、特許文献９参照。）もある。何らかの手段を用いて生ゴミを圧縮して水分を絞る水切り容器もあり、圧縮手段には、上から圧縮するもの（例えば、特許文献４参照。）や底面に押上台を設け蓋との間で圧縮するもの。（例えば、特許文献５参照。）重石を乗せて圧縮するもの（例えば、特許文献６参照。）鼓型の水切り容器を転がすことにより圧縮するもの。（例えば、特許文献７参照。）二重容器の、小さな無数の排水窓を持つ内側容器を回転ハンドルで回転させて遠心力で水を切るもの。（例えば、特許文献８参照。）などがある。これらの水切り容器に共通して言える欠点は、面で構成された容器の側面や底面に小さな排水窓が開いていて、水切りネットと組み合わせで使うことであり、面に開けられた排水窓に接する水切りネットの網目からは、水が排出されるが、窓ではない壁面に接する水切りネットの網目には、水が通らず水切りネットの排水能力を阻害し、汚れが溜まり雑菌の繁殖場となっていることである。圧力を加えても、遠心力を加えても、窓ではない壁面は、水切りネットの排水性能を阻害することに変わりはない。また、壁面に開いた排水窓が多ければ多いほど、その窓に付いた汚れやカビは落としづらくなる欠点もある。水切り容器ではないが、水切り容器を必要とせず、使い捨て水切りネットに支柱を付けて、使用後に生ゴミを水切りネットごと加圧して絞れるものもある。（例えば、特許文献１０参照。）容器を使わず、水切りネットに支柱が付いたもの（特許文献１０参照。）が水切りネットの性能を十分に発揮するが、（ほとんど全部の網目から排水でき、排水の邪魔になるのは支柱だけである。）袋に支柱をつけただけでは、容器としての安定感がなく支柱が倒れて水切りネットの投入口を変形させる欠点がある。【０００４】
【特許文献１】実用新案登録第３１２２８５４号公報
【特許文献２】実開平６−５９３０２公報
【特許文献３】実用新案登録第３０４２４９３号公報
【特許文献４】実用新案登録第３１２９５７０号公報
【特許文献５】特開２００５−２３１８５６公報
【特許文献６】実用新案登録第３１４１４７０号公報
【特許文献７】実用新案登録第３０８５８１９号公報
【特許文献８】実開平６−８３０７
【特許文献９】特開２００６−２８２３８８公報
【特許文献１０】特許４１０１３５４
【考案の開示】
【考案が解決しようとする課題】
【０００５】  以上に述べた従来の水切り容器では、以下に示すような欠点があった。
１．容器の孔ではない壁面と水切りネットの密着によって水切りネットが持つ水切り性能を阻害し、水切りネットの目詰まりを起こし雑菌の繁殖元になること。
２．容器に開けられた小さな排水窓に汚れがこびりつきカビや細菌の温床になること。
３．水切りネットに支柱をつけたものは、安定感がなく投入口が変形すること。【０００６】  本考案は、このような従来の構成が有していた問題を解決しようとするものであり、
１．切りネットが持つ水切り性能を阻害せず、雑菌の繁殖を抑える水切り容器を得ること。
２．水切り容器から小さな排水窓を無くし、掃除の簡単な水切り容器を得ること。
３．容器としての安定感を保ち、簡単な掃除で繰り返し使用可能な水切り容器とすること。
以上を目的とする。
【課題を解決するための手段】
【０００７】  本考案は上記目的を達成するために、水切り容器側面内壁と水切りネットの密着を減らすための、細い金属棒からなる水切り容器内側上面の内周にはまる枠と、細い金属棒からなる水切り容器内側底面の内周にはまる枠との間を、水切り容器側面内壁から離れるよう、内側にコの字型に曲げた複数の金属棒でつないだ密着防止側面フェンス１と細い金属棒の複数箇所を折り曲げたり螺旋に巻いたりしてなる底面中央に山形のふくらみを持たせた密着防止底面フェンス２の２種類の密着防止フェンスを、側面・底面ともに小さな排水窓を持たず、底面に密着防止フェンスが乗る縁だけを残し底を持たない排水窓無し水切り容器３やカゴ型水切り容器の水切りカゴ７ａとの組み合わせからなる構成の密着防止フェンス付き水切り容器とした。【０００８】  上記の課題解決手段による作用は次の通りである。排水窓無し水切り容器３底面内側の縁に密着防止底面フェンス２を乗せた後、密着防止側面フェンス１を乗せ、密着防止側面フェンス１の中に水切りネット４を入れると、水切りネット４は、２種類の密着防止フェンスに支えられる。水切りネット４は、排水窓無し水切り容器３の内壁および底面には触れずに２種類の密着防止フェンスの金属棒だけで支えられる。生ゴミを投入すると、水切りネット４の網目は、金属棒に触れる部分以外は、ふさがれることなく水切り能力を発揮し、排水窓無し水切り容器３底面の一穴型排水穴５から水分を排水する。
【考案の効果】
【０００９】  上述したように本考案の密着防止フェンス付き水切り容器による効果は、排水窓無し水切り容器３側面内壁と水切りネット４の密着がなく、水切りネット４が触れているのは、２種類の密着防止フェンス金属棒部分のみで、水切りネット４の網目部分の目詰まりがほとんどなく、水切りネット４の持つ水切り性能を阻害せず雑菌の繁殖を抑える効果を発揮し、密着防止側面フェンス１も密着防止底面フェンス２も金属棒で構成されていて、簡単に取り外せ、排水窓無し水切り容器３も小さな排水窓が全く存在しないため保守点検及び清掃が簡単に出来る効果を発揮する。
【考案を実施するための最良の形態】
【００１０】  以下、本考案の実施形態を図１から図９に基づいて説明する。【００１１】  本考案の密着防止フェンス付き水切り容器の基本部品構成は、図１に示すように、取り外し可能な密着防止底面フェンス２と密着防止側面フェンス１を排水窓無し水切り容器３のような水切り容器や水切りカゴなどに入れる構成であり、水切りネット４は密着防止側面フェンス２の内側に入れる。
【実施例１】
【００１２】  図１は、密着防止フェンス付き水切り容器の斜視分解図であり、排水窓無し水切り容器３の内部に密着防止底面フェンス２と密着防止側面フェンス１及び水切りネット４を入れる順序を示す図である。【００１３】  図２は、密着防止フェンス付き水切り容器の実施例斜視図であり、密着防止側面フェンス１の内部に入れた水切りネット４が密着防止側面フェンス１に支えられて排水窓無し水切り容器３の内壁には、触れていない。図には見えていないが、底面も密着防止底面フェンス２によって排水窓無し水切り容器３の底面にも触れていない。水切りネット４が触れているのは、二つの密着防止フェンスの金属棒部分だけで、水切りネット４の網目のほとんどが水を排出でき、投入された生ゴミから出た水分は、排水窓無し水切り容器３の下部に排出される様子を示す図である。密着防止側面フェンス１と同じように水切り容器内壁に板状の複数突起を成型したとしても、板は面である以上、板状突起に付着した水分は腐って雑菌を発生させるが、本考案の密着防止フェンス付き水切り容器では、水切りネット４を支えているのは、面ではなく線であり、水切り容器の壁面にも底面にも水切りネット４は触れていないので、従来の水切り容器のように、面に付いた水分が腐って雑菌の温床となることがない。【００１４】  図３は、密着防止フェンス付き水切り容器の実施例平面図であり、上面から覗いた図である。排水窓無し水切り容器３の底面には、一穴型排水穴５が開いており、密着防止側面フェンス１と密着防止底面フェンス２が排水窓無し水切り容器３の底面の縁に乗っている様子を示す図である。【００１５】図４は、図３に示す実施例Ａ−Ａ’側断面図であり、水切りネット４が密着防止底面フェンス２と密着防止側面フェンス１に保持される排水窓無し水切り容器３内部の様子を示す図であり、底面も一穴型排水穴５ａ周囲の縁に乗った密着防止底面フェンス２に支えられて排水窓無し水切り容器３に触れてはいない様子を示している。【００１６】図５は、従来の排水窓付き水切り容器の実施例側断面図であり、従来の排水窓付き水切り容器３ｂに水切りネット４を入れて、生ゴミ８を投入した場合の水切り容器内壁に水切りネット４が接触する様子を示す図である。排水窓６に接する部分からは排水されるが、それ以外の容器内壁に接する部分には水が流れず雑菌を発生させ、ぬめりや悪臭の元になる。
【実施例２】
【００１７】  図６は、密着防止フェンス付きカゴ型水切り容器の斜視分解図であり、カゴ型水切り容器である水切りカゴ７ａ内部に密着防止底面フェンス２と密着防止側面フェンス１及び水切りネット４を入れる順序を示す図である。水切り容器の形状が変わっても、密着防止底面フェンス２と密着防止側面フェンス１を組み合わせる作用及び効果は同じである。【００１８】  図７は、図６に示す実施例の組立側断面図であり、図６で示す部品を組み立てた状態を側断面にした図である。水切りネット４が密着防止底面フェンス２と密着防止側面フェンス１に保持され水切りカゴ７ａの内壁や底面には触れていないことを示す図である。【００１９】  図８は、密着防止フェンス無しカゴ型水切り容器実施例側断面図であり、従来のカゴ型水切り容器の水切りカゴ７ａに水切りネット４を入れて、生ゴミ８を投入した場合の水切りカゴ７ａの排水金網７ｃ内壁に水切りネット４が接触してしまう様子を示す図である。【００２０】  図９は、従来の排水窓付き水切り容器の実施例斜視図であり、排水窓付き水切り容器３ｂに入れた水切りネット４が排水窓付き水切り容器３ｂ内壁に密着して触れてしまう様子を示す図である。排水窓６が多ければ多いほど、排水窓６周辺にカビの発生や汚れのこびりつきが多発する。排水窓６は少ない方がよく、なければ、尚、よいが、従来の水切り容器においては、その構造上、排水窓６を少なくすれば排水能力が低下し、排水窓６を無くしてしまえば水切り容器としての機能が果たせなくなる欠点があった。本考案の密着防止フェンス付き水切り容器の排水窓無し水切り容器３ならば、排水窓６を無くすことができるので、排水窓６周辺に発生するカビや汚れのこびりつきとは無縁となる。
【産業状の利用可能性】
【００２１】  本考案の密着防止フェンス付き水切り容器は、水切りネットが持つ水切り性能を十分に発揮させ、雑菌の繁殖を抑えて悪臭の発生を防止するので、飲食物を扱う厨房周りが衛生的になり、構造が簡単で分解が容易なので汚れ落としなどの掃除も簡単になり日常的な保守点検が簡略化でき、衛生面及び保守面の両面で大いに役立つ。
【図面の簡単な説明】
【００２２】
【図１】密着防止フェンス付き水切り容器の斜視分解図である。
【図２】密着防止フェンス付き水切り容器の実施例斜視図である。
【図３】密着防止フェンス付き水切り容器の実施例平面図である。
【図４】図３に示す実施例Ａ−Ａ’側断面図である。
【図５】従来の排水窓付き水切り容器の実施例側断面図である。
【図６】密着防止フェンス付きカゴ型水切り容器の斜視分解図である。
【図７】図６に示す実施例の組立側断面図
【図８】密着防止フェンス無しカゴ型水切り容器実施例側断面図
【図９】従来の排水窓付き水切り容器の実施例斜視図
【符号の説明】
【００２３】１    密着防止側面フェンス
２    密着防止底面フェンス
３    排水窓無し水切り容器
３ｂ  排水窓付き水切り容器
４    水切りネット
５ａ  一穴型排水穴
５ｂ  多孔型排水穴
６    排水窓
７ａ  水切りカゴ
７ｂ  取っ手
７ｃ  排水金網
７ｄ  スリット型排水穴
８    生ごみ
【図１】
0003154105.tif 000003
【図２】
0003154105.tif 000004
【図３】
0003154105.tif 000005
【図４】
0003154105.tif 000006
【図５】
0003154105.tif 000007
【図６】
0003154105.tif 000008
【図７】
0003154105.tif 000009
【図８】
0003154105.tif 000010
【図９】
0003154105.tif 000011